(57)【要約】【課題】二重花立てにおいて、振り出した一方の花立てが、石塔など他の物に当たらないようにする。【解決手段】基台２の上に垂直軸周りに回動できるよう可動花立て３を取り付け、次いで、基台２の上に固定花立て４を載置する。固定花立ては、その前面、外側面および底面に面した空洞４ｂが設けてあり、この空洞の中に、すでに取り付けてある可動花立て３が収まる。空洞に収まっている可動花立て３を、支持軸５周りに手前に回動させて、外に振り出すと、それまで隠れていた可動花立ての挿入穴３ａが現れ、固定花立てだけでなく回動花立てにも花を挿すことができるようになる。  【選択図】図２
2011038278.tif 000002
【特許請求の範囲】
【請求項１】
基台と、該基台上に垂直軸周りに回転自在に支持され、花を挿すための挿入穴を上面に有する可動花立てと、該基台上に固定され、花を挿すための挿入穴を上面に備えた固定花立てから成り、該固定花立ては、その前面、外側面および底面に面する空洞を備えており、この空洞の中に該可動花立てが収まるようになっており、該空洞に収まった状態から該可動花立てを手前に回動して該空洞の外にせり出させると、それまで該固定花立てで覆われていた可動花立ての挿入穴が現れるよう構成されている二重花立て。
【請求項２】
該可動花立ての外側部に、上下に延びる手掛けを一体に形成した請求項１に記載の二重花立て。
【発明の詳細な説明】
【技術分野】
【０００１】
この発明は、墓に設置される石材製花立てに関する。
【背景技術】
【０００２】
従来の墓用花立ては受け入れられる花の量がそれほど多くなく、特に参拝人が多いお盆時期には、花立てが花でいっぱいになってしまって、受け入れることのできない花が出てしまうことがある。
【０００３】
そこで、特許文献１に示すように、花立てを二重構造にしたものが知られている。このものでは、上段花立てを後に回動して斜め後に振り出し、上下の花立てのそれぞれに花を挿せるようにして、多くの花を受け入れできるようにしたものがある。しかし、このものでは、振り出したとき、上段花立てが後方にやや出っ張る格好になるので、墓の構造によっては設置できない欠点がある。
【先行技術文献】
【特許文献】
【０００４】
【特許文献１】特許公開２００６−５７３２８号公報
【発明の概要】
【発明が解決しようとする課題】
【０００５】
この発明は、二重花立てにおいて、振り出したときの花立てが、後に出っ張って石塔など他の物に当たるのを防ぐことを課題とする。
【課題を解決するための手段】
【０００６】
この発明に係る二重花立ては、基台と、この基台上に垂直軸周りに回転できるよう支持され、花を挿すための挿入穴を上面に有する可動花立てと、該基台上に固定され、花を挿すための挿入穴を上面に備えた固定花立てから成る。固定花立ては、その前面、外側面および底面に面する空洞を備えており、この空洞の中に該可動花立てが収まるようになっている。空洞に収まった状態から可動花立てを手前に回動して空洞の外にせり出させると、それまで固定花立てで隠れていた、可動花立ての挿入穴が現れるよう構成されている。
【０００７】
このようにこの二重花立ては、、固定花立ての空洞内に収まった状態から、可動花立てを手前に回動して外にせり出させると、それまで固定花立てで覆われていた可動花立ての挿入穴が外に現れるようにしたので、固定花立てと可動花立ての両方に、したがって、たくさんの花を挿すことができる。しかも、可動花立ては手前に回動させて外にせり出させるようにしたので、前述した従来の二重花立てと異なり、可動花立てが後ろに出っ張らないので、たいていの墓に設置することができる。また、普段、可動花立てを固定花立ての空洞の中に収めておけるので、見映えがよい。
【０００８】
なお、固定花立ての空洞内に収まっている可動花立てを手前に回動させるために、可動花立ての外側部に、上下に延びる手掛けを一体に形成しするとよい。こうすれば、これに指をかけて可動花立てを容易に回動させることができる効果がある。
【図面の簡単な説明】
【０００９】
【図１】二重花立てを設置した墓の全体斜視図である。
【図２】二重花立ての組立て斜視図である。
【図３】二重花立ての斜視図であって、（ａ）は可動花立てを収納した状態、（ｂ）は外に振り出した状態を示す。
【図４】二重花立て正面図である。
【図５】図４のＡ−Ａ線で切断した二重花立ての水平断面図である。
【図６】図４のＢ−Ｂ線で切断した二重花立ての水平断面図である。
【図７】図６のＣ−Ｃ線で切断した二重花立ての縦断面図である。
【発明を実施するための形態】
【００１０】
この発明の花立て１は、図１に示すように、墓の前部両翼に設置されており、両花立ては左右対称に作られている。図２は分解斜視図であり、二重花立ては、花崗岩等の石材から削り出した３つのブロック、すなわち基台２、可動花立て３および固定花立て４から成る。基台２の上で可動花立て３が垂直軸周りに回動できるようにするために、可動花立て３の下面および基台２の上面にそれぞれ、支持軸５を収める軸穴６を穿設する。支持軸５は鋼製で、その途中につば５ａを備えており、そのつばより上の軸部分５ｂを、接着剤を塗って可動花立ての軸穴６の中に挿入固定する。基台の軸穴６には、接着剤を塗って金属製スリーブ７を挿入して固定する。このスリーブの中に支持軸５の下半分５ｃを挿入する。スリーブ７の上端にもつば７ａが固定されており、このつばに支持軸本体のつば５ａが当接し、可動花立て３の重量は、互に当接するこれら２枚のつば５ａ、７ａを介して基台２に伝えられる。２枚のつば同士は滑らかに摺動し、可動花立て３は小さな力で回動することができる。
【００１１】
可動花立て３の上面には、花を挿すための挿入穴３ａが下に向かって穿設されている。可動花立て３の側面には、上下方向に伸びる手掛け３ｂが一体に形成されており、これに指をかけるようにして可動花立てを回動するようにする。
【００１２】
可動花立て３を取り付けたら、基台２の上に今度は固定花立て４を載置する。固定花立ては、その前面、外側面および底面に面した空洞４ｂが設けてあり、この空洞の中に可動花立て３が収まるようになっている。基台２上面には突起２ａが一体に突出しており、この突起が、固定花立て４の底面に形成してある位置決め穴４ｃにはまり込んで、固定花立て４は基台２の上にしっかり固定される。固定花立て４の上面には、花を挿すための挿入穴４ａが下に向かって穿設されている。
【００１３】
図４は二重花立ての正面図であり、同図をＡ−Ａ線で切断したのが、図５の断面図である。この図５の断面図に示すように、可動花立て３は、支持軸５を中心として、（ａ）と（ｂ）の状態の間を回動することができる。これら（ａ）と（ｂ）の各状態を、図３に斜視図で示す。
【００１４】
この（ａ）状態では、可動花立３てが固定花立て４の空洞４ｂ内に収納されており、可動花立ての挿入穴３ａは隠れているので、固定花立ての挿入穴４ａにしか花を挿すことができない。他方、（ｂ）状態は、可動花立て３を、支持軸５周りに手前に回動させて、いっぱいに振り出した状態であり、それまで隠れていた可動花立ての挿入穴３ａが外に現れ、可動花立てにも花を挿すことができるようになる。
【００１５】
したがって、この二重花立ては、普段は（ａ）状態で使用し、花が多いときは（ｂ）状態にして使用する。実際に花を挿すときは、図３に示すように、各挿入穴３ａ、４ａにステンレス製の水受けカップ８を差し込んで使用する。
【符号の説明】
【００１６】
１    二重花立て
２    基台
３    可動花立て
３ａ  挿入穴
３ｂ  手掛け
４    固定花立て
４ａ  挿入穴
４ｂ  空洞
【図１】
2011038278.tif 000003
【図２】
2011038278.tif 000004
【図３】
2011038278.tif 000005
【図４】
2011038278.tif 000006
【図５】
2011038278.tif 000007
【図６】
2011038278.tif 000008
【図７】
2011038278.tif 000009